【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
デッキシステムであって、複数のジョイストと、複数のデッキボードと、平らな横木と、を備えており、
前記複数のジョイストが、平行に渡っており、互いに間隔をあけて離されており、
前記複数のデッキボードが、複数のジョイストを横切って渡っており、
前記平らな横木が、複数のジョイストの各々の取り付け端を横切って長手方向に渡っており、この結果、複数のジョイストが、平らな横木の長手方向に間隔をあけて離された位置で平らな横木に支持されるようになっており、
平らな横木が、互いに対向しており、平らな横木のそれぞれの端の間に、平らな横木の長手方向に伸びている、第１の直立している側面と、第２の直立している側面と、を備えており、
複数のジョイストコネクタが、平らな横木の第１の直立している側面に形成されており、
ジョイストコネクタが、長手方向に、平らな横木に沿って、互いに間隔をあけて離されており、
各ジョイストコネクタが、組み合いによって係合するように、ジョイストのそれぞれの１つの取り付け端を受け入れるように用意されている、
ことを特徴とするシステム。
【請求項２】
平らな横木が、押し出し成形部材を備えており、
前記押し出し成形部材が、その長さに沿う実質的に連続している外形を有しており、
ジョイストコネクタが、ノッチを有しており、
前記ノッチが、平らな横木の長手方向に垂直な連続する外形に形成されている、
ことを特徴とする請求項１に記載のシステム。
【請求項３】
各ジョイストが、上部フランジと、該上部フランジに平行、かつ、対向している下部フランジと、上部フランジと下部フランジとの間を渡っているウェブ部分と、を備えており、
前記ウェブ部分が、上部、下部フランジよりも狭くなっている、
ことを特徴とする請求項１または２に記載のシステム。
【請求項４】
各ジョイストの取り付け端が、突出部分を備えており、
前記突出部分が、ジョイストの残りの部分を越えてジョイストの長手方向に伸びており、
各ジョイストコネクタが、中にジョイストのそれぞれの１つの突出部分をはめ合いにより受け入れるように、用意されている、
ことを特徴とする請求項１乃至３の何れか１つに記載のシステム。
【請求項５】
フック部分が与えられており、該フック部分が、突出部分から下方へと延びており、
各ジョイストコネクタが、その上のそれぞれのジョイストの突出部分を支持するように用意されている平らな部分を含んでおり、
平らな部分が平らな横木の直立している側面から外側に間隔をあけて設けられており、この結果、フック部分が、平らな横木と、平らな横木の直立している側面との間に受け入れられるようになっている、
ことを特徴とする請求項４に記載のシステム。
【請求項６】
各ジョイストの端の双方が、突出部分を備えており、
前記突出部分が、ジョイストの残りの部分を越えてジョイストの長手方向に伸びており、
前記ジョイストの残りの部分の中で、各ジョイストコネクタが、中にジョイストのそれぞれの１つの突出部分をはめ合いにより受け入れるように用意されており、
各ジョイストの対向している端で突出部分が、それぞれジョイストの隣接し、対向している上面と底面とに、設けられている、
ことを特徴とする請求項１乃至５の何れか１つに記載のシステム。
【請求項７】
外板が与えられており、該外板が、平らな横木に対向しているジョイストの端を渡っており、
外板が、ジョイストの突出部分に支持されている、
ことを特徴とする請求項６に記載のシステム。
【請求項８】
平らな横木が、水平で平らな部材を備えており、
前記水平で平らな部材が、ジョイストコネクタ上に間隔をあけて設けられている平らな横木の上面に沿って、平らな横木の長手方向に伸びており、この結果、ジョイストに支持されているデッキボードの部分の上面を超えるように、用意することができるようになっている、
ことを特徴とする請求項１乃至７の何れか１つに記載の方法。
【請求項９】
デッキボードは、全体が、ジョイストコネクタの組み合いによる係合によって、ジョイストに固定されるように用意されている、
ことを特徴とする請求項１に記載のシステム。
【請求項１０】
ジョイストコネクタが、デッキボードの長手方向に垂直な方向に摺動するように、ジョイスト上のデッキボードを支持している、
ことを特徴とする請求項１に記載のシステム。
【請求項１１】
複数のデッキボードが、上部デッキ表面を定めており、
システムが、更に、レールと、複数の下部ソケットと、を備えており、
前記レールが、レール部材と、上部デッキ表面との間に渡る複数の杭部材と、を備えており、
前記複数の下部ソケットが、それぞれ、中に杭部材の底面を受け入れている上部デッキ表面内に形成されており、
各杭部材の底面が、解放位置と固定位置との間の上部デッキ表面に対してそれぞれ下部ソケット内で回動可能になっており、前記解放位置において、杭部材が、それぞれ下部ソケットの中へ、そして外へと長手方向に摺動可能になっており、前記固定位置において、杭部材が、杭部材の底面と、下部ソケットとの組み合いによる係合によって下部ソケットに保持されている、
ことを特徴とする請求項１に記載のシステム。
【請求項１２】
階段システムとの組み合わせによるシステムであって、
前記階段システムが、１対の横はりと、複数のスレッド部材と、を備えており、
前記１対の横はりが、平行に支持されており、かつ、デッキシステムと下部支持表面との間に伸びるように互いに間隔をあけて設けられており、
前記複数のスレッド部材が、１対の横はりの間に水平に伸びており、
スレッド部材が、間に組み合いによる係合によって横はりに結合されている、
ことを特徴とする請求項１に記載のシステム。
【請求項１３】
各ジョイストが、長さに沿って連続している外形を有している押し出し成形部材を備えており、
更に、システムが、はりと、複数のジョイストコネクタと、を備えており、
前記はりが、その長さに沿って連続している外形を有している押し出し成形部材を備えており、
前記はりが、はりに沿って間隔をあけて設けられている位置で互いに平行である、そのジョイストを支持しており、
前記複数のジョイストコネクタが、ジョイストをはりに結合して、はりとジョイストとが組み合いによって係合するように、用意されている、
ことを特徴とする請求項１に記載のシステム。
【請求項１４】
更に、はりと、平らな横木と、を備えており、
前記はりが、その上に間隔をあけて離れた位置で、ジョイストを支持しており、
前記平らな横木が、ジョイストの１つの端に渡されており、
はりと、平らな横木と、デッキボードと、ジョイストと、の内の少なくとも１つにおいて、構造部材を備えており、
前記構造部材が、本体と気泡型水準器とを有しており、
前記本体が、デッキに対する構造上の支持を与えるように用意されており、
前記気泡型水準器が、本体上に一体的に支持されており、
前記気泡型水準器が，本体が水平方向に支持されているときに、表示するように用意されている、
ことを特徴とする請求項１に記載のシステム。
【請求項１５】
各横はりが、複数の横はりセクションを備えており、
前記複数の横はりセクションが、係合位置と解放位置との間で、互いに対して摺動できるように、用意されるように、互いに組み合いによる係合で支持されている、
ことを特徴とする請求項１２に記載のシステム。